(57)【要約】【課題】洗濯時にブラジャーのカップ部が型崩れすることを防止できるブラジャー用洗濯ネットを提供する。【解決手段】ネット状部材から成る袋体１０と、袋体１０の開口部１１の周縁に連結され、開口部１１を開閉自在に閉鎖する蓋２０と、を備えたブラジャー用洗濯ネット１であって、第１の端縁部５４が蓋２０の内面２０ｃ側に取り付けられ、第２の端縁部５５が蓋２０の閉鎖時に袋体１０に収容された洗濯物であるブラジャーに当接して該ブラジャーの動きを規制する押え板５０を更に備える。【選択図】図２
2019084036.tif 000002
【特許請求の範囲】
【請求項１】
ネット状部材から成る袋体と、前記袋体の開口部の周縁に連結され、前記開口部を開閉自在に閉鎖する蓋と、を備えたブラジャー用洗濯ネットであって、
一端縁が前記蓋の内面側に取り付けられ、他端縁が前記蓋の閉鎖時に前記袋体に収容されたブラジャーに当接して該ブラジャーの動きを規制する押え板を更に備えることを特徴とするブラジャー用洗濯ネット。
【請求項２】
前記押え板の前記他端縁が湾曲していることを特徴とする請求項１に記載のブラジャー用洗濯ネット。
【請求項３】
前記蓋が板状であり、前記押え板が略半円形状であることを特徴とする請求項１または２に記載のブラジャー用洗濯ネット。
【請求項４】
前記押え板の前記他端縁が中間に２つの湾曲凸部を有することを特徴とする請求項１または２に記載のブラジャー用洗濯ネット。
【請求項５】
前記蓋は、前記ブラジャー用洗濯ネットに浮力を与える第１の浮き部材を含むことを特徴とする請求項１〜４のいずれか１項に記載のブラジャー用洗濯ネット。
【請求項６】
前記押え板は、前記ブラジャー用洗濯ネットに浮力を与える第２の浮き部材を含むことを特徴とする請求項１〜５のいずれか１項に記載のブラジャー用洗濯ネット。
【請求項７】
前記袋体は、目の細かい第１のネット部材と目の粗い第２のネット部材とを含む複合構造のネット状部材の外側に、目の細かい第３のネット部材を有して構成されていることを特徴とする請求項１〜６のいずれか１項に記載のブラジャー用洗濯ネット。
【発明の詳細な説明】
【技術分野】
【０００１】
本発明は、ブラジャー用洗濯ネットに関する。
【背景技術】
【０００２】
ブラジャーなどの洗濯物を収容して洗濯するための、ネット状部材からなる袋状の洗濯ネットは既に知られている（例えば、特許文献１参照）。洗濯ネットに収容された洗濯物が、洗濯機の洗濯槽に入れられ、他の洗濯物と共に或いは単独で洗濯される。
【０００３】
特許文献１には、ネット状部材からなる小判形の袋体で構成された洗濯ネットが開示されている。この袋体は、２枚の小判形のネット状部材の周縁部が縫い合わされて袋状にされ、周縁部の一部に開口部が形成されている。開口部にはファスナーが取り付けられ、開閉可能になっている。また、この袋体の上下または左右には寄せ縫いを施したギャザーが設けられ、折り畳んで収容した洗濯物に対して袋体がフィットしやすいようになっている。
【先行技術文献】
【特許文献】
【０００４】
【特許文献１】特許第６２０３９９７号公報
【発明の概要】
【発明が解決しようとする課題】
【０００５】
しかしながら、特許文献１に記載の洗濯ネットにあっては、洗濯物を収容する袋体が扁平であり、ブラジャーを収容して洗濯するとブラジャーのカップ部が型崩れする問題があった。
【０００６】
本発明は、上述のような課題を解決するためになされたもので、洗濯時にブラジャーのカップ部が型崩れすることを防止することができるブラジャー用洗濯ネットを提供することを目的とする。
【課題を解決するための手段】
【０００７】
本発明に係るブラジャー用洗濯ネットは、上記目的達成のため、ネット部材より成る袋体と、前記袋体の開口部の周縁に連結され、前記開口部を開閉自在に閉鎖する蓋と、を備えたブラジャー用洗濯ネットであって、一端縁が前記蓋の内面側に取り付けられ、他端縁が前記蓋の閉鎖時に前記袋体に収容されたブラジャーに当接して該ブラジャーの動きを規制する押え板を更に備えることを特徴とする。
【０００８】
上述のように、本発明に係るブラジャー用洗濯ネットは、一端縁が蓋の内面側に取り付けられ、他端縁が蓋の閉鎖時に袋体に収容されたブラジャーに当接して該ブラジャーの動きを規制する押え板を更に備えている。この構成により、押え板の他端縁をブラジャーのカップ部の内側に当てて、袋体内にブラジャーを固定した状態で洗濯することができる。これにより、洗濯時にブラジャーのカップ部が型崩れすることを防止することができる。
【０００９】
また、本発明のブラジャー用洗濯ネットは、前記押え板の前記他端縁を湾曲した構成としてもよい。
【００１０】
この構成により、袋体に収容されたブラジャーに当接する押え板の他端部が湾曲しているので、押え板によりブラジャーが損傷を受け難くなっている。
【００１１】
また、本発明のブラジャー用洗濯ネットは、前記蓋が板状であり、前記押え板が略半円形状であってもよい。
【００１２】
この構成により、袋体に収容されたブラジャーに当接する押え板の他端部が円弧状であるので、押え板によりブラジャーが損傷を受け難くなっている。また、円弧状の他端部をブラジャーのカップ部の内側にフィットさせることで、カップ部の形状を保持し型崩れを効果的に防止することができる。
【００１３】
また、本発明のブラジャー用洗濯ネットは、前記押え板の前記他端縁が中間に２つの湾曲凸部を有する構成としてもよい。
【００１４】
この構成により、押え板の他端縁の２つの湾曲凸部をブラジャーの２つのカップ部の内側にそれぞれフィットさせることで、カップ部の形状を保持し型崩れをより効果的に防止することができる。
【００１５】
また、本発明のブラジャー用洗濯ネットでは、前記蓋は、前記ブラジャー用洗濯ネットに浮力を与える第１の浮き部材を含む構成としてもよい。
【００１６】
この構成により、蓋が洗濯機の洗濯槽の水面に浮かんだ状態で洗濯をすることができる。
【００１７】
また、本発明のブラジャー用洗濯ネットでは、前記押え板は、前記ブラジャー用洗濯ネットに浮力を与える第２の浮き部材を含む構成としてもよい。
【００１８】
この構成により、蓋が洗濯機の洗濯槽の水面に浮かんだ状態で洗濯をすることができる。また、蓋に内蔵された第１の浮き部材と押え板の第２の浮き部材とによって、浮力を得ることができるので、全体の浮力を大きくすることができる。
【００１９】
また、本発明のブラジャー用洗濯ネットでは、前記袋体は、目の細かい第１のネット部材と目の粗い第２のネット部材とを含む複合構造のネット状部材の外側に、目の細かい第３のネット部材を有して構成されていてもよい。
【００２０】
この構成により、複合構造のネット状部材の外側に目の細かい第３のネット部材を有しているので、糸くずなどの洗濯くずが洗濯ネット内に入り難くなっている。また、目の細かい第１のネット部材と目の粗い第２のネット部材とを含む複合構造の弾力性のネット状部材を内側に備えているので、洗濯ネットが洗濯槽や他の洗濯物に衝突した際に受ける衝撃からブラジャーが保護されるとともに、洗濯ネット外の他の洗濯物を洗濯ネットが損傷し難くなっている。
【発明の効果】
【００２１】
本発明によれば、洗濯時にブラジャーのカップ部が型崩れすることを防止することができるブラジャー用洗濯ネットを提供することができる。
【図面の簡単な説明】
【００２２】
【図１】本発明の第１の実施の形態に係るブラジャー用洗濯ネットの斜視図である。
【図２】図１のブラジャー用洗濯ネットの蓋が開いた状態を示す斜視図である。
【図３】（ａ）は図１のブラジャー用洗濯ネットのＡ矢視側面図であり、（ｂ）はＢ矢視平面図である。
【図４】（ａ）は図１のブラジャー用洗濯ネットのＣ矢視側面図であり、（ｂ）はＤ矢視側面図である。
【図５】（ａ）は図２のＶ−Ｖ矢視部分断面図であり、（ｂ）は図５（ａ）のＶｂ−Ｖｂ矢視部分断面図である。
【図６】図２のＶＩ−ＶＩ矢視部分断面図である。
【図７】図２のＶＩＩ−ＶＩＩ矢視部分断面図である。
【図８】本発明の第１の実施の形態に係るブラジャー用洗濯ネットの使用方法を示す説明図である。
【図９】（ａ）は図８（ｄ）のＩＸａ―ＩＸａ矢視断面図であり、（ｂ）は図８（ｄ）のＩＸｂ―ＩＸｂ矢視断面図である。
【図１０】本発明の第２の実施の形態に係るブラジャー用洗濯ネットの斜視図である。
【図１１】本発明の実施の形態に係る押え板の変形例を示す説明図である。
【図１２】本発明の他の実施の形態に係るブラジャー用洗濯ネットの説明図であり、（ａ）は略半球状の蓋が閉じた状態を示し、（ｂ）は蓋が開いた状態を示す。
【発明を実施するための形態】
【００２３】
以下、本発明の実施の形態について、図面を参照して説明する。
【００２４】
［第１の実施形態］
図１および図２に示すように、本発明の第１の実施形態に係るブラジャー用洗濯ネット１は、ネット状部材から成る袋体１０と、袋体１０の開口部１１を開閉自在に閉鎖する板状の蓋２０と、押え板５０とを備えている。以下、各部について説明する。
【００２５】
（袋体の構成）
図２に示すように、袋体１０は、袋状部１２とその開口部１１とを有している。袋状部１２は、第１の側面部１３と第２の側面部１４とを有している。図３（ａ）に示すように、第１の側面部１３は、略直線状の端縁部１３ａと略円弧状に湾曲した端縁部１３ｂとで形成される略半円形のネット部材であり、第２の側面部１４も同様の構成である。そして、第１および第２の側面部１３、１４の円弧状の端縁部同士が縫い合わされて袋状になっている。
【００２６】
本実施形態では袋状部１２の第１および第２の側面部１３、１４は略半円形であるが、形状はこれに限定されず、矩形、半楕円形（楕円を長軸又は短軸で半分に切った形状）、三角形、多角形など任意の形状にできる。ただし、他の洗濯物に損傷を与えないという観点から、角の少ない形状とするのが好ましい。
【００２７】
図５（ａ）は図２のＶ−Ｖ矢視部分断面図であり、図５（ｂ）は図５（ａ）のＶｂ−Ｖｂ矢視部分断面図である。図５に示すように、第１および第２の側面部１３、１４は、各々、目の細かい第１のネット部材１５と目の粗い第２のネット部材１６とを含む複合構造のネット状部材１７の外側に、目の細かい第３のネット部材１８を有して構成されている。
【００２８】
具体的には、目の細かい第１のネット部材１５と目の粗い第２のネット部材１６は、例えば、ダブルラッセル構造をなす一体のネット部材である。袋体１０の材質は、例えば、ポリエステル、ナイロン、ポリプロピレンなどである。
【００２９】
（蓋の構成）
図１および図２に示すように、蓋２０は、袋体１０の開口部１１の周縁の一部に連結され、袋体１０の開口部１１をファスナー４０によって開閉自在に閉鎖するようになっている。蓋２０を開閉する手段としては、ファスナー４０の他、面ファスナーなどでもよく、蓋２０による閉鎖状態を開閉自在に固定する任意の手段を使用できる。
【００３０】
図３（ｂ）に示すように、蓋２０は、略円弧状に湾曲した第１の周縁部２０ａと、中央に湾曲凹部を有する第２の周縁部２０ｂと有し、第１および第２の周縁部２０ａ、２０ｂにより略ハート形又はリンゴ形の平面形状を有している。
【００３１】
本実施形態では蓋２０は略ハート形又はリンゴ形であるが、形状はこれに限定されず、円形、半楕円形、矩形、台形、多角形など任意の形状にできる。ただし、他の洗濯物に損傷を与えないという観点から、角のない形状とするのが好ましい。
【００３２】
蓋２０の第２の周縁部２０ｂは、袋体１０の開口部１１の周縁の一部に連結片３０により連結されている（図４（ｂ）参照）。連結片３０は、幅の狭い帯状の布部材からなり、蓋２０の第２の周縁部２０ｂの長さとほぼ同じ長さを有している。連結片３０の一方の側縁部が袋体１０の開口部１１の周縁に縫い付けられ、他方の側縁部が蓋２０の第２の周縁部２０ｂに縫い付けられることにより、蓋２０が袋体１０に連結される。
【００３３】
蓋２０は、ブラジャー用洗濯ネット１に浮力を与える板状の第１の浮き部材２３を含んでおり、洗濯時に蓋２０が洗濯槽７４の水面に浮くようになっている。具体的には、図６に示すように、蓋２０は、外側ネット部材２１と内側ネット部材２２とを有し、それらの間に板状の第１の浮き部材２３が収容されて構成されている。第１の浮き部材２３の形状は、外側ネット部材２１と内側ネット部材２２の間に収容可能なように、蓋２０の外形形状と同形で大きさもほぼ同じか或いは一回り小さくした形状となっている。
【００３４】
蓋２０の外側ネット部材２１および内側ネット部材２２の材質は、例えば、ポリエステル、ナイロン、ポリプロピレンなどであり、第１の浮き部材２３の材質は、例えば、発泡ポリエチレン、発泡ポリウレタン、発泡ポリスチレンなどである。
【００３５】
図１に示すように、ファスナー４０が、袋体１０の開口部１１の周縁及び蓋２０の周縁に各々設けられ、蓋２０を開閉できるようになっている。
【００３６】
具体的には、袋体１０の開口部１１の周縁のうち、連結片３０が取り付けられた部分以外の部分にファスナー４０のエレメントが設けられている。また、蓋２０の第１の周縁部２０ａにもファスナー４０のエレメントが設けられている。すなわち、袋体１０と蓋２０とは、連結片３０により連結された部分を除いて、ファスナー４０が取り付けられており、蓋２０を開閉できるようになっている。
【００３７】
図１、図４（ｂ）に示すように、ファスナー４０のスライダー４１にツマミ４６が設けられ、ファスナー４０の上止の近傍にファスナーカバー４７が設けられている。ファスナー４０が閉じられたとき、スライダー４１をファスナーカバー４７に収容できるようになっている。また、袋体１０には吊り下げ用ループ３２が設けられ、洗濯ネット１を吊り下げて干すことができるようになっている。
【００３８】
ツマミ４６を持ってファスナー４０を開閉できるので、ファスナー４０の開閉が容易である。また、ファスナーカバー４７にスライダー４１が収容された状態で洗濯されるので、スライダー４１が他の洗濯物に損傷を与えることがない。
【００３９】
（押え板の構成）
図２に示すように、押え板５０は、その第１の端縁部５４が蓋２０の内面２０ｃ側に取り付けられ、第２の端縁部５５が蓋の閉鎖時に袋体１０に収容されたブラジャー７０に当接して該ブラジャー７０の動きを規制するようになっている（図９参照）。
【００４０】
具体的には、押え板５０の第１の端縁部５４は直線状であり、第２の端縁部５５は湾曲している。押え板５０は、平面視で略半円形状の外形を有している。
【００４１】
本実施形態では押え板５０は略半円形状であるが、形状はこれに限定されず、半楕円形、矩形の角を丸くした形状、多角形など任意の形状にできる。
【００４２】
押え板５０は、蓋２０と袋体１０との連結片３０（図４（ｂ）参照）に略平行な方向に沿って蓋２０の内面２０ｃに取り付けられている。具体的には、押え板５０は、直線状の第１の端縁部５４（連結部６０）が、蓋２０の内側ネット部材２２に縫い付けられている。
【００４３】
これにより、押え板５０は、縫い付けられた直線状の第１の端縁部５４を支点として、蓋２０に対して自由に搖動できるようになっている。これにより、押え板５０は、蓋２０の閉鎖状態において袋体１０に収容された洗濯物であるブラジャー７０に好適な角度で当接して固定することができるようになっている。袋体１０内にブラジャー７０を確実に固定するために、蓋２０の閉鎖状態において蓋２０に対する押え板５０の角度は約９０°とするのが好ましい。
【００４４】
押え板５０の第１の端縁部５４は、蓋２０の内面２０ｃの中央から少し連結片３０寄りに位置し、蓋２０の周縁近くまで延在している。押え板５０は、第１の端縁部５４を支点として蓋２０の内面２０ｃ側に回転させたとき、蓋２０からはみ出さない程度の大きさとするのが収納上好ましい。
【００４５】
押え板５０は、ブラジャー用洗濯ネット１に浮力を与える板状の第２の浮き部材５３を含んでいる。具体的には、図７に示すように、押え板５０は、第１のネット部材５１と第２のネット部材５２とを有し、それらの間に第２の浮き部材５３が収容されて構成されている。第２の浮き部材５３の形状は、第１のネット部材５１と第２のネット部材５２の間に収容可能なように、押え板５０と略同じ形状で大きさも略同じか或いは一回り小さくした形状となっている。押え板５０は、洗濯ネット１に収容されたブラジャー７０の型崩れを防止する機能の他、浮きの機能を有している。また、押え板５０は、袋体１０の芯材として洗濯時における洗濯ネット１の形状を保持する機能も有している。さらに、押え板５０は、袋体１０の内部空間を分割するパーティションの機能も有している。
【００４６】
押え板５０の第１のネット部材５１および第２のネット部材５２の材質は、例えば、ポリエステル、ナイロン、ポリプロピレンなどであり、第２の浮き部材５３の材質は、例えば、発泡ポリエチレン、発泡ポリウレタン、発泡ポリスチレンなどである。
【００４７】
本実施形態に係るブラジャー用洗濯ネット１では、衣類を傷めないように縫い代はバイアステープで包んでいる。また、部材同士は縫着によって接続しているが、接着剤による接着など任意の接続手段により接続できる。
【００４８】
（押え板の変形例）
図１１に押え板の変形例を示す。この押え板５０Ｂは、直線状の第１の端縁部５４Ｂと、湾曲した第２の端縁部５５Ｂとを有している。第２の端縁部５５Ｂの中間には２つの湾曲凸部５６Ｂ、５６Ｂが形成されている。押え板５０Ｂは、押え板５０Ｂと形状が略同じで大きさも略同じか或いは一回り小さい板状の第２の浮き部材５３Ｂを内蔵している。
【００４９】
図１１に示す押え板５０Ｂは、袋体１０に収容されたブラジャー７０の２つのカップ部７０ａの内側に２つの湾曲凸部５６Ｂ、５６Ｂがそれぞれフィットしてブラジャー７０を保持することができる。これにより、洗濯時にブラジャー７０のカップ部７０ａが型崩れすることを効果的に防止することができる。
【００５０】
次に、本実施形態に係るブラジャー用洗濯ネット１の使用方法を説明する。
【００５１】
図８（ａ）及び図８（ｂ）に示すように、ブラジャー７０をブラジャー用洗濯ネット１の袋体１０に入れる。その際、ブラジャー７０のホックは予めとめておき、肩紐を内側に入れて半分に畳むようにするとよい。
【００５２】
次に、図８（ｃ）に示すように、ブラジャー７０のカップ部７０ａの内側に押え板５０が当たるように、蓋２０を閉める。
【００５３】
次に、図８（ｄ）に示すように、ファスナー４０を閉める。ファスナー４０のスライダー４１は、ファスナーカバー４７に入れておく。
【００５４】
図９（ａ）は図８（ｄ）のＩＸａ−ＩＸａ矢視断面図であり、図９（ｂ）は図８（ｄ）のＩＸｂ−ＩＸｂ矢視断面図である。図９（ａ）及び図９（ｂ）に示すように、押え板５０は蓋２０に対して垂直に配置された状態であり、押え板５０の湾曲した第２の端縁部５５がブラジャー７０のカップ部７０ａの内側に当り、袋体１０と押え板５０との間にブラジャー７０のカップ部７０ａの形状を潰さずに挟み込んだ状態になっている。
【００５５】
そして、図８（ｅ）に示すように、ブラジャー７０が収容された洗濯ネット１を洗濯機７２の洗濯槽７４に入れて洗濯を行う。
【００５６】
次に、作用効果について説明する。
【００５７】
本実施形態に係るブラジャー用洗濯ネット１は、第１の端縁部５４が蓋２０の内面２０ｃ側に取り付けられ、第２の端縁部５５が蓋２０の閉鎖時に袋体１０に収容されたブラジャー７０に当接して該ブラジャー７０の動きを規制する押え板５０を更に備えている。この構成により、押え板５０の第２の端縁部５５をブラジャー７０のカップ部７０ａの内側に当てて、袋体１０内にブラジャー７０を固定した状態で洗濯することができる。これにより、洗濯時にブラジャー７０のカップ部７０ａが型崩れすることを防止することができる。
【００５８】
また、本実施形態に係るブラジャー用洗濯ネット１は、押え板５０の第１の端縁部５４が直線状であり、第２の端縁部５５が湾曲している。袋体１０に収容されたブラジャー７０に当接する押え板５０の第２の端縁部５５が湾曲しているので、押え板５０によりブラジャー７０が損傷を受け難くなっている。
【００５９】
また、本実施形態に係るブラジャー用洗濯ネット１は、押え板５０が略半円形状である。この構成により、袋体１０に収容されたブラジャー７０に当接する押え板５０の第２の端縁部５５が円弧状であるので、押え板５０によりブラジャー７０が損傷を受け難くなっている。また、円弧状の第２の端縁部５５をブラジャー７０のカップ部７０ａの内側にフィットさせることで、カップ部７０ａの形状を保持し型崩れを効果的に防止できる。
【００６０】
また、本実施形態に係るブラジャー用洗濯ネット１では、蓋２０は、ブラジャー用洗濯ネット１に浮力を与える第１の浮き部材２３を含んでいる。この構成により、蓋２０が洗濯機７２の洗濯槽７４の水面に浮かんだ状態で洗濯をすることができる。
【００６１】
また、本実施形態に係るブラジャー用洗濯ネット１では、押え板５０は、ブラジャー用洗濯ネット１に浮力を与える第２の浮き部材５３を含んでいる。この構成により、蓋２０が洗濯機７２の洗濯槽７４の水面に浮かんだ状態で洗濯をすることができる。また、蓋２０に内蔵された第１の浮き部材２３と押え板５０の第２の浮き部材５３とによって、浮力を得ることができるので、全体の浮力を大きくすることができる。
【００６２】
また、本実施形態に係るブラジャー用洗濯ネット１では、袋体１０は、目の細かい第１のネット部材１５と目の粗い第２のネット部材１６とを含む複合構造のネット状部材１７の外側に、目の細かい第３のネット部材１８を有して構成されている。
【００６３】
この構成により、複合構造のネット状部材１７の外側に目の細かい第３のネット部材１８を有しているので、糸くずなどの洗濯くずが洗濯ネット内に入り難くなっている。また、目の細かい第１のネット部材１５と目の粗い第２のネット部材１６とを含む複合構造の弾力性のネット状部材１７を内側に備えているので、洗濯ネット１が洗濯槽７４や他の洗濯物に衝突した際に受ける衝撃から、洗濯ネット１に収容されたブラジャー７０が保護されるとともに、洗濯ネット外の他の洗濯物を洗濯ネット１が損傷し難くなっている。
【００６４】
［第２の実施形態］
次に、本発明の第２の実施形態に係るブラジャー用洗濯ネットを説明する。
【００６５】
本実施形態に係るブラジャー用洗濯ネット１Ａは、押え板５０Ａの取付け方向が第１の実施形態と異なっている。その他の構成は第１の実施形態と同一であり、同一の構成については同一の符号を付し、詳細な説明は省略する。
【００６６】
図１０に示すように、押え板５０Ａは、連結片３０の配置方向に直交する方向に沿って取り付けられている。押え板５０Ａの湾曲した第２の端縁部５５Ａが、袋体１０に収容されたブラジャー７０のカップ部７０ａの内側に当り、押え板５０Ａと袋体１０との間にブラジャー７０を挟み込んで固定するようになっている。すなわち、本実施形態では、袋体１０に収容するブラジャー７０の方向を、第１の実施形態におけるブラジャー７０の配置方向から９０°回転させた方向とする。
【００６７】
この構成により、蓋２０を閉じるとき、押え板５０Ａが蓋２０の内面２０ｃから鉛直下方に自然に垂れ下がった状態になるので、ブラジャー７０のカップ部７０ａの内側に真上から押え板５０Ａを当てる作業が容易になる。
【００６８】
［他の実施形態］
次に、他の実施形態に係るブラジャー用洗濯ネット１Ｃを示す。
図１２（ａ）は、本実施形態に係るブラジャー用洗濯ネット１Ｃのファスナー４０を閉めて蓋２０Ｃを閉鎖した状態を示し、図１２（ｂ）は蓋２０Ｃを開けた状態を示す。
【００６９】
図１２に示すように、ブラジャー用洗濯ネット１Ｃは、ネット状部材から成る略半球状の袋体１０Ｃと、袋体１０Ｃの開口部をファスナー４０Ｃにより開閉自在に閉鎖する略半球状の蓋２０Ｃと、押え板５０Ｃとを備えている。また、図１２（ａ）に示すように、ブラジャー用洗濯ネット１Ｃは、蓋２０Ｃが閉じられた状態にて略球形状になっている。
【００７０】
本実施形態では、蓋２０Ｃはネット状部材からなり、浮き部材を内蔵していないが、浮き部材を内蔵するようにしてもよい。押え板５０Ｃは浮き部材（第２の浮き部材）５３Ｃを内蔵している。また、本実施形態では、蓋２０Ｃおよび袋体１０Ｃの形状をともに略半球状としているが、形状はこれに限定されず、例えば半楕円体形状などそれぞれ任意の立体形状にしてもよい。
【００７１】
図１２に示すように、押え板５０Ｃの第１の端縁部５４Ｃは、蓋２０Ｃの内面側に連結され、第２の端縁部５５Ｃは湾曲している。袋体１０Ｃにブラジャーを収容して蓋２０Ｃを閉じると、押え板５０Ｃの湾曲した第２の端縁部５５Ｃが、袋体１０Ｃに収容されたブラジャーのカップ部の内側に当り、押え板５０Ｃと袋体１０Ｃとの間にブラジャーを挟み込んで固定するようになっている。
【００７２】
以上述べたように、本発明は、洗濯時にブラジャーのカップ部が型崩れすることを防止することができるという効果を有し、ブラジャー用洗濯ネットの全般に有用である。
【符号の説明】
【００７３】
１、１Ａ、１Ｃ  ブラジャー用洗濯ネット
１０、１０Ｃ  袋体
１１  開口部
１２  袋状部
１３  第１の側面部
１４  第２の側面部
１５  第１のネット部材
１６  第２のネット部材
１７  複合構造のネット状部材
１８  第３のネット部材
２０、２０Ｃ  蓋
２０ａ  第１の周縁部
２０ｂ  第２の周縁部
２０ｃ  内面
２１  外側ネット部材
２２  内側ネット部材
２３  第１の浮き部材
３０  連結片
３２  吊り下げ用ループ
４０  ファスナー
４１  スライダー
４６  ツマミ
４７  ファスナーカバー
５０、５０Ａ、５０Ｂ、５０Ｃ  押え板
５１  第１のネット部材
５２  第２のネット部材
５３、５３Ａ、５３Ｂ、５３Ｃ  第２の浮き部材
５４、５４Ａ、５４Ｂ、５４Ｃ  第１の端縁部（一端縁）
５５、５５Ａ、５５Ｂ、５５Ｃ  第２の端縁部（他端縁）
５６Ｂ  湾曲凸部
６０  連結部
７０  ブラジャー
７２  洗濯機
【図１】
2019084036.tif 000003
【図２】
2019084036.tif 000004
【図３】
2019084036.tif 000005
【図４】
2019084036.tif 000006
【図５】
2019084036.tif 000007
【図６】
2019084036.tif 000008
【図７】
2019084036.tif 000009
【図８】
2019084036.tif 000010
【図９】
2019084036.tif 000011
【図１０】
2019084036.tif 000012
【図１１】
2019084036.tif 000013
【図１２】
2019084036.tif 000014